(57)【要約】【課題】  注文シートに予め印字された宛先を選択（マーク）するだけで、宛先を決定し自動送信することができる発注システムおよび方法およびプログラムを提供する。【解決手段】  クライアント端末１０１から商品情報サーバ２０１にアクセスし、商品情報サーバ２０１で管理される商品に関する商品情報データをプリンタ３０１で注文シートとして出力する。その注文シートの宛先および商品にユーザが選択（マーク）を行ったものを、スキャナ４０１に読み込ませることにより発注処理が行える。【選択図】  図１
2005266906.tif 000002
【特許請求の範囲】
【請求項１】
商品に関する情報をネットワークから受信することで商品の発注処理を行う発注システムにおいて、
前記商品の発注先および発注する商品をマークすることにより選択可能な注文シートを印刷出力する印刷手段と、
前記印刷手段で印刷出力され、前記商品の発注先および発注する商品がマークされた注文シートの画像を読み取る画像読取手段と、
前記画像読取手段で読み取った注文シートの画像から前記商品の発注先を認識する認識手段と、
前記認識手段で認識した該商品の発注先に対して前記ネットワークを介して前記画像読取手段で読み取った注文シートに基づく発注処理を行う発注処理手段と
を具備することを特徴とする発注システム。
【請求項２】
前記ネットワークから受信した前記商品に関する情報を表示する表示手段と、
前記表示手段に表示した前記商品に関する情報に関する前記注文シートの画像または情報を前記ネットワークを介して取得する取得手段と
を具備し、
前記印刷手段は、
前記取得手段で取得した注文シートの画像または情報を印刷出力する
ことを特徴とする請求項１記載の発注システム。
【請求項３】
前記発注処理手段は、
前記認識手段で認識した該商品の発注先に対して前記画像読取手段で読み取った注文シートの画像を送信することにより前記発注処理を行う
ことを特徴とする請求項１記載の発注システム。
【請求項４】
前記認識手段は、
前記画像読取手段で読み取った注文シートの画像から発注する商品を認識し、
前記発注処理手段は、
前記認識手段で認識した該商品の発注先に対して認識した発注する商品の情報を送信することにより前記発注処理を行う
ことを特徴とする請求項１記載の発注システム。
【請求項５】
前記注文シートは、
前記商品の発注先に加えて該注文シートの参考送信先をマークすることにより選択可能であり、
前記認識手段は、
前記商品の発注先に加えて前記注文シートの参考送信先を認識し、
前記発注処理手段は、
前記商品の発注先とともに前記参考送信先に対して前記発注処理を行う
ことを特徴とする請求項１記載の発注システム。
【請求項６】
商品に関する情報をネットワークから受信することで商品の発注処理を行う発注方法において、
前記商品の発注先および発注する商品をマークすることにより選択可能な注文シートを印刷手段により印刷出力し、
前記印刷手段で印刷出力され、前記商品の発注先および発注する商品がマークされた注文シートの画像を画像読取手段により読み取り、
前記画像読取手段で読み取った注文シートの画像から前記商品の発注先を認識手段により認識し、
前記認識手段で認識した該商品の発注先に対して前記ネットワークを介して前記画像読取手段で読み取った注文シートに基づく発注処理を発注処理手段により行う
ことを特徴とする発注方法。
【請求項７】
商品に関する情報をネットワークから受信することで商品の発注を行う発注処理をコンピュータにより実行させる発注プログラムであって、
前記商品の発注先および発注する商品をマークすることにより選択可能な注文シートを印刷出力するステップと、
前記商品の発注先および発注する商品がマークされた前記注文シートの画像を読み取るステップと、
該読み取った注文シートの画像から前記商品の発注先を認識するステップと、
該認識した該商品の発注先に対して前記ネットワークを介して読み取った注文シートに基づく発注処理を行うステップと
を含むことを特徴とする発注プログラム。
【発明の詳細な説明】
【技術分野】
【０００１】
本発明は、ネットワークを介して商品の発注処理を行う発注システムおよび方法およびプログラムに関し、特に、注文シートに予め印字された宛先を選択（マーク）するだけで、宛先を決定し自動送信することができる発注システムおよび方法およびプログラムに関する。
【背景技術】
【０００２】
従来、印字データから宛先情報を認識し該宛先に発信するシステムとして、特許文献１記載の「電子メール送信方法及びシステム」が開示されている。
【０００３】
この特許文献１の発明は、画像データ中に記載されている画像データから電子メールアドレスを自動認識し、この電子メールアドレス宛てに当の画像データを電子メールとして送信することで利用者はキーボードを用いてコンピュータを操作しなくても電子メールを指定した相手に送信することができるようになるというものである。
【０００４】
また、発注処理を電子化する技術として、特許文献２記載の「電子発注方法および電子発注システム」が開示されている。
【０００５】
この特許文献２記載の発明は、画面上で発注決定ボタンを選択するだけで発注のための処理（通信回線を介した発注や，発注伝票の印刷）を行えるので、物品の発注プロセスを効率化できる。また、発注ミスを防止できるので、物品の発注プロセスの信頼性を向上できるというものである。
【特許文献１】特開平１１−００７４２４
【特許文献２】特開２００２−２５９７７４
【発明の開示】
【発明が解決しようとする課題】
【０００６】
しかしながら、上記特許文献１の発明は、予め原稿に宛先を記入しておく必要があり宛先が電子メールのアドレスの場合、正規配布先（ＴＯ）や参考配布先（ＣＣ）などを区別して発信することが出来ない。
【０００７】
また、上記特許文献２の発明は、全てオンライン上の処理となり、パーソナルコンピュータの操作に不慣れなユーザにとっては使い辛いという問題がある。
【０００８】
また、近年ウイルスが添付されたメール、広告メールなどの不要なメールの受信を電子メールアドレスを長くすることで防止するといった傾向もあり、電子メールアドレスを書き間違えるといったミスが起こり易くなっている。
【０００９】
そこで、本発明は、注文シートに予め印字された宛先を選択（マーク）するだけで、宛先を決定し自動送信することができる発注システムおよび方法およびプログラムを提供することを目的とする。
【課題を解決するための手段】
【００１０】
上記目的を達成するため、請求項１の発明は、商品に関する情報をネットワークから受信することで商品の発注処理を行う発注システムにおいて、前記商品の発注先および発注する商品をマークすることにより選択可能な注文シートを印刷出力する印刷手段と、前記印刷手段で印刷出力され、前記商品の発注先および発注する商品がマークされた注文シートの画像を読み取る画像読取手段と、前記画像読取手段で読み取った注文シートの画像から前記商品の発注先を認識する認識手段と、前記認識手段で認識した該商品の発注先に対して前記ネットワークを介して前記画像読取手段で読み取った注文シートに基づく発注処理を行う発注処理手段とを具備することを特徴とする。
【００１１】
また、請求項２の発明は、請求項１の発明において、前記ネットワークから受信した前記商品に関する情報を表示する表示手段と、前記表示手段に表示した前記商品に関する情報に関する前記注文シートの画像または情報を前記ネットワークを介して取得する取得手段とを具備し、前記印刷手段は、前記取得手段で取得した注文シートの画像または情報を印刷出力することを特徴とする。
【００１２】
また、請求項３の発明は、請求項１の発明において、前記発注処理手段は、前記認識手段で認識した該商品の発注先に対して前記画像読取手段で読み取った注文シートの画像を送信することにより前記発注処理を行うことを特徴とする。
【００１３】
また、請求項４の発明は、請求項１の発明において、前記認識手段は、前記画像読取手段で読み取った注文シートの画像から発注する商品を認識し、前記発注処理手段は、前記認識手段で認識した該商品の発注先に対して認識した発注する商品の情報を送信することにより前記発注処理を行うことを特徴とする。
【００１４】
また、請求項５の発明は、請求項１の発明において、前記注文シートは、前記商品の発注先に加えて該注文シートの参考送信先をマークすることにより選択可能であり、前記認識手段は、前記商品の発注先に加えて前記注文シートの参考送信先を認識し、前記発注処理手段は、前記商品の発注先とともに前記参考送信先に対して前記発注処理を行うことを特徴とする。
【００１５】
また、請求項６の発明は、商品に関する情報をネットワークから受信することで商品の発注処理を行う発注方法において、前記商品の発注先および発注する商品をマークすることにより選択可能な注文シートを印刷手段により印刷出力し、前記印刷手段で印刷出力され、前記商品の発注先および発注する商品がマークされた注文シートの画像を画像読取手段により読み取り、前記画像読取手段で読み取った注文シートの画像から前記商品の発注先を認識手段により認識し、前記認識手段で認識した該商品の発注先に対して前記ネットワークを介して前記画像読取手段で読み取った注文シートに基づく発注処理を発注処理手段により行うことを特徴とする。
【００１６】
また、請求項７の発明は、商品に関する情報をネットワークから受信することで商品の発注を行う発注処理をコンピュータにより実行させる発注プログラムであって、前記商品の発注先および発注する商品をマークすることにより選択可能な注文シートを印刷出力するステップと、前記商品の発注先および発注する商品がマークされた前記注文シートの画像を読み取るステップと、該読み取った注文シートの画像から前記商品の発注先を認識するステップと、該認識した該商品の発注先に対して前記ネットワークを介して読み取った注文シートに基づく発注処理を行うステップとを含むことを特徴とする。
【発明の効果】
【００１７】
本発明によれば、注文シートに予め印字された宛先を選択（マーク）するだけで、宛先を決定し自動送信することができるため、紙媒体に直接マークする安易さと安心感を提供でき、宛先の入力ミスを防ぎ宛先指定にかかる作業の省力化が図れるという効果を奏する。
【００１８】
また、宛先に正規配布先（ＴＯ）か参考配布先（ＣＣ）かの選択を行うことも可能であり、本来の宛先以外のメールアドレスに宛てて同じ内容のメッセージを複数送信する必要がある場合などにも容易に行える。
【発明を実施するための最良の形態】
【００１９】
以下、この発明に係わる発注システムおよび方法およびプログラムの実施例について添付図面を参照して詳細に説明する。
【実施例１】
【００２０】
図１は、この発明に係わる発注方法を適用したシステム構成図である。
【００２１】
同図に示すネットワークには発注処理を行う際にユーザが扱うクライアント端末（ユーザ）１０１、注文シートの印刷を行うプリンタ３０１、ユーザにより記入された発注シートを読み込むスキャナ４０１がそれぞれＬＡＮ（ローカル・エリア・ネットワーク）５０１に接続されており、また、ＬＡＮ５０１は公衆回線６０１を介して商品情報を管理する商品情報サーバ２０１とも接続されている。
【００２２】
ここで、図１を使ってクライアント端末１０１を扱うユーザが商品情報サーバ２０１で管理される商品を発注する際の一連の流れを説明する。
【００２３】
ユーザがクライアント端末１０１からブラウザなどのアプリケーションを使ってＬＡＮ５０１および公衆回線６０１を介して商品情報サーバ２０１にアクセスし、発注を所望する商品が掲載されたページをクライアント端末１０１の画面に表示する。その表示された商品情報から発注を行う場合、そのページに対する印刷依頼をクライアント端末１０１とＬＡＮ５０１を介して接続されるプリンタ３０１へ送信し、印刷依頼を受信したプリンタ３０１は、注文シートの印刷処理を行う。ユーザはそのプリンタ３０１で印刷された注文シートの必要項目（例えば、宛先、商品）を手書きでマーク（選択）し、注文シートをスキャナ４０１に読み込ませる。スキャナ４０１は、ユーザにより記入された注文シートを読み込み、選択された宛先および商品を認識し注文シート上の紙面情報をデジタルデータに変換し、その変換されたデジタルデータを発注先に送信することで発注処理が行われる。
【００２４】
以上がこの発注方法を適用した発注手順である。この発注方法を適用することにより、コンピュータの操作に不慣れなユーザにも紙（注文シート）を介在することで、安易さと安心感が提供できる。また、注文シートの宛先もスペルミス等の入力ミスが起こることを防止することができ確実な発注業務が行える。
【００２５】
なお、上記図１に示した構成では、ＬＡＮ５０１を介してクライアント端末１０１とプリンタ３０１、スキャナ４０１が接続されているが、プリンタ３０１は直接クライアント端末１０１に接続されていてもよく、スキャナ４０１も直接プリンタ３０１に接続されていてもよい。
【００２６】
また、スキャナ４０１は電話回線で公衆回線６０１と接続されていてもよい。すなわち、読み込んだ注文シートのデータをスキャナ４０１から直接電話回線を通じて発注先に送信してもよい。
【００２７】
図２は、注文シートの一例を示すレイアウト図である。
【００２８】
同図に示す注文シートには注文コードの他、複数の宛先（宛先情報１−Ａ）と商品名およびその商品説明、仕様、価格、商品画像（商品情報１−Ｂ）が記載されている。また、各宛先および商品名にはチェックボックス”□”が併記されており、ユーザが選択した宛先や商品にマークするようになっている。この図２に示すレイアウトでは、宛先４と商品１にマークされている。例ではそれぞれ一つづつのみの選択となっているが、宛先、商品とも複数選択してもよい。
【００２９】
宛先情報１−Ａは、注文シートを送信する宛先を示す情報であり、この実施例では、宛先１から宛先６が宛先として用意されているが、これに限られるものではなく、必要に応じた数だけ宛先を用意できる。
【００３０】
また、宛先情報１−Ａとして宛先が宛先１から宛先６という名称で示されているが、これは実際のメールアドレスが示されていてもよいし、発注先の企業名などが示されていてもよい。送信先をユーザがすぐに認識できるような名称を用意するのが望ましい。
【００３１】
商品情報１−Ｂは、発注を行う商品一覧を示す情報であり、商品名、商品説明、仕様、価格、商品画像を含む情報を有している。この実施例では、商品に関する情報として商品名、商品説明、仕様、価格を用意しているが、これに限られるものではなく、ユーザが商品を正しく理解できるよう必要に応じて記載できる。
【００３２】
また、商品情報として商品が商品１から商品３という名称で示されているが、これは実際の商品名が示されていてもよいし、商品コードが示されていてもよい。ユーザがその商品をすぐに認識できるような名称を用意するのが望ましい。
【００３３】
図３は、図１に示したシステム構成図を機能毎にブロック図として示したものである。
【００３４】
同図は、クライアント端末１０１、商品情報サーバ２０１、プリンタ３０１、スキャナ４０１、ＬＡＮ５０１、公衆回線６０１を具備して構成される。
【００３５】
クライアント端末１０１は、パーソナルコンピュータなどを示しており、ユーザにより操作されることで商品情報サーバ２０１で管理される商品情報にアクセスし、商品情報を画面に表示するといった処理を行う。クライアント端末１０１で商品情報を表示する際には、ブラウザ等のアプリケーションを使い、ユーザがブラウザにアドレス（例えば、http://www・・・）を入力することで商品情報サーバ２０１にアクセスし、商品情報サーバ２０１に保存されている商品情報を閲覧することができる。
【００３６】
商品情報サーバ２０１は、商品情報の保存および管理を行っているサーバであり、公衆回線６０１を介してクライアント端末１０１、プリンタ３０１、スキャナ４０１と接続されている。
【００３７】
プリンタ３０１は、ＬＡＮ５０１を介して接続されるクライアント端末１０１からの注文シート印刷依頼受信に際して印刷処理を行う。
【００３８】
スキャナ４０１は、スキャン動作によって絵や文字などの原稿をデジタルデータに変換するデバイスであり、プリンタ３０１で印刷された注文シートにマーク（選択）された情報を読み取り、読み取った情報に基づいて所定の宛先に発注データを送信する。
【００３９】
ここで、スキャナ４０１は、データ読取り部４０２、宛先変換部４０３、商品認識部４０４、発注データ生成部４０５、発注指示部４０６、通信部４０７、記憶部４０８を具備して構成される。
【００４０】
データ読取り部４０２は、絵や文字などが記された原稿を光学的に走査（スキャン）し、得られたデータをＡＤ（アナログ−デジタル）変換するといった処理を行う。すなわち、必要項目がユーザによりマークされた注文シートを読取り、注文シートに記された情報をデジタルデータに置き換える。
【００４１】
宛先変換部４０３は、上記データ読取り部４０２で抽出された発注データの宛先情報を実際に送信する宛先（メールアドレスなど）に変換する。注文シートの宛先には、ユーザがどこに商品を注文するのかをすぐに認識できるように、企業名などが示されているため、宛先変換部４０３により注文シートにマークされた宛先（企業名など）から記憶部４０８に保持される実際の宛先（メールアドレスなど）を検出し変換する。
【００４２】
商品認識部４０４は、上記データ読取り部４０２で抽出された発注データからどの商品が選択されたのかを認識し、記憶部４０８に保持される商品情報から実際の商品名などに変換する。
【００４３】
発注データ生成部４０５は、上記宛先変換部４０３および上記商品認識部４０４により実際の宛先および実際の商品名に変換され記憶部４０８に一時保存された発注データを、所定の発注データ形式に変換することで発注データを生成する。
【００４４】
発注指示部４０６は、上記発注データ生成部４０５で生成された発注データを、通信部４０７を介して、発注先企業へ送信する。
【００４５】
通信部４０７は、スキャナ４０１とＬＡＮ５０１を接続するインターフェース装置であり、上記発注指示部４０６の指示に従い、発注データを発注先企業へ送信する。
【００４６】
なお、上記構成では商品認識部４０４を設けることにより、発注システム（スキャナ４０１）で商品を認識し、発注先企業へ発注データを送信するよう構成したが、発注先企業へ送信する商品の情報については、スキャンした画像をそのまま送付してもよい。スキャン画像を送付する場合は、送付先のシステムにてどの商品が注文されたか、すなわち、どの商品にマークされているのかの認識を行うことになる。
【００４７】
図４は、図３に示したシステムにおける発注処理の動作を説明するフローチャートである。
【００４８】
この発注処理は、ユーザがクライアント端末１０１から商品情報サーバ２０１にアクセスすると開始される（ステップＳ１０１）。すなわち、ユーザが商品の掲載されているＷｅｂへアクセスし、商品情報を参照する。
【００４９】
ユーザがクライアント端末１０１から商品情報を入力／選択し、発注を所望する商品が掲載された商品ページを表示する（ステップＳ１０２）。
【００５０】
その表示された商品ページに対しての印刷依頼をプリンタ３０１へ送信し、注文シートをプリンタ３０１から出力する（ステップＳ１０３）。
【００５１】
プリンタ３０１から出力された注文シートの宛先と商品から発注を行う企業と、発注を行う商品をマークし（ステップＳ１０４）、その注文シートをスキャナ４０１で読み込みを行う（ステップＳ１０５）。
【００５２】
ユーザにより記入された注文シートをデータ読取り部４０２で読み込んだスキャナ４０１は、注文シートにマークされている宛先を宛先変換部４０３で実際の宛先に変換を行い、注文シートにマークされている商品を商品認識部４０４で認識し（ステップＳ１０６）、その注文シートに記された発注データを発注データ生成部４０５で所定のフォーマットに変換し、発注指示部４０６から通信部４０７を介して所定の宛先に送信する（ステップＳ１０７）。そして、この発注処理を終了する。
【００５３】
なお、上記実施例においては、この発明に係わる発注方法を適用したシステムにより行うよう構成したが、この発注方法をコンピュータにインストールされた発注プログラムにより実行させるように構成してもよい。
【００５４】
以上が、本発明による発注方法の処理内容であり、コンピュータを使って直接発注データを作成し送信するのではなく、紙媒体を介在することで、コンピュータが苦手なユーザにも安易に発注処理が行えるようになり、同時に安心感も提供することができる。
【００５５】
また、注文シートにマークすることで発注処理が行えるので、注文シートを発注責任者等にチェックしてもらうことも可能で、発注ミスを抑止できる。
【実施例２】
【００５６】
上記実施例１の発注方法に加え、実施例２では、注文シートの宛先に正規配布先（ＴＯ）か参考配布先（ＣＣ）かの選択を行えるように構成した実施例を説明する。
【００５７】
図５は、注文シートの一例を示すレイアウト図である。
【００５８】
同図に示す注文シートには注文コードの他、複数の宛先およびその宛先毎にＴＯ、ＣＣ（宛先情報２−Ａ）と商品名およびその商品説明、仕様、価格、商品画像（商品情報２−Ｂ）が記載されている。また、各宛先および商品名にはチェックボックス”□”が併記されており、ユーザが選択した宛先や商品にマークするようになっている。この図５に示すレイアウトでは、正規配布左記（ＴＯ）である宛先４に加え、宛先２および宛先５が参考配布先（ＣＣ）としてマークされている。
【００５９】
宛先情報２−Ａは、注文シートを送信する宛先を示す情報であり、この実施例では、宛先１から宛先６が宛先として用意されているが、これに限られるものではなく、必要に応じた数だけ宛先を用意できる。
【００６０】
また、宛先情報２−Ａとして宛先が宛先１から宛先６という名称で示されているが、これは実際のメールアドレスが示されていてもよいし、発注先の企業名などが示されていてもよい。送信先をユーザがすぐに認識できるような名称を用意するのが望ましい。
【００６１】
商品情報２−Ｂとは、発注を行う商品一覧を示す情報であり、商品名、商品説明、仕様、価格、商品画像を含む情報を有している。この実施例では、商品に関する情報として商品名、商品説明、仕様、価格を用意しているが、これに限られるものではなく、ユーザが商品を正しく理解できるよう必要に応じて記載できる。
【００６２】
また、商品情報として商品が商品１から商品３という名称で示されているが、これは実際の商品名が設定されていてもよいし、商品コードが示されていてもよい。ユーザがその商品をすぐに認識できるような名称を用意するのが望ましい。
【００６３】
図６は、図３に示したシステムにおける発注処理の動作を説明するフローチャートである。
【００６４】
この発注処理は、ユーザがクライアント端末１０１から商品情報サーバ２０１にアクセスすると開始される（ステップＳ２０１）。すなわち、ユーザが商品の掲載されているＷｅｂへアクセスし、商品情報を参照する。
【００６５】
ユーザがクライアント端末１０１から商品情報を入力／選択し、発注を所望する商品が掲載された商品ページを表示する（ステップＳ２０２）。
【００６６】
その表示された商品ページに対しての印刷依頼をプリンタ３０１へ送信し、注文シートをプリンタ３０１から出力する（ステップＳ２０３）。
【００６７】
プリンタ３０１から出力された注文シートの宛先と商品から発注を行う企業と、発注を行う商品をマークし（ステップＳ２０４）、その注文シートをスキャナ４０１で読み込みを行う（ステップＳ２０５）。
【００６８】
ユーザにより記入された注文シートをデータ読取り部４０２で読み込んだスキャナ４０１は、注文シートにマークされている宛先を宛先変換部４０３で実際の宛先に変換を行い、注文シートにマークされている商品を商品認識部４０４で認識する（ステップＳ２０６）。
【００６９】
ここで、注文シートの宛先のうち正規配布先（ＴＯ）にマークされた宛先がある場合（ステップＳ２０７でＹＥＳ）、その宛先を正規配布先（ＴＯ）の宛先として発注データに付加する（ステップＳ２０８）。
【００７０】
次に、注文シートの宛先のうち参考配布先（ＣＣ）にマークされた宛先がある場合（ステップＳ２０９でＹＥＳ）、その宛先を参考配布先（ＣＣ）の宛先として発注データに付加する（ステップＳ２１０）。
【００７１】
次に、その注文シートに記された発注データを発注データ生成部４０５で所定のフォーマットに変換し、発注指示部４０６から通信部４０７を介して所定の宛先に送信する（ステップＳ２１１）。そして、この発注処理を終了する。
【００７２】
上記実施例２では、実施例１に加えて正規配布先（ＴＯ）および参考配布先（ＣＣ）を選択できるよう構成したので、例えば、企業などでこの発注方法を適用した場合に参考配布先（ＣＣ）に自社の発注商品に係わる部署などを指定することが可能になり、発注処理終了後に改めて電子メールなどで発注を行った旨を通知するといった作業の無駄を省ける。
【産業上の利用可能性】
【００７３】
本発明の発注システムおよび方法およびプログラムは、商品の発注を行う場合に紙媒体を介在して発注処理が行えるので、利用者に紙媒体に直接マークする安易さと安心感を提供でき、特に、コンピュータの扱いが苦手なユーザによる発注ミスなどを抑止する場合に有効利用できる。
【図面の簡単な説明】
【００７４】
【図１】この発明に係わる発注方法を適用したシステム構成図である。
【図２】注文シートの一例を示すレイアウト図である。
【図３】図１に示したシステム構成図を機能毎にブロック図として示したものである。
【図４】図３に示したシステムにおける発注処理の動作を説明するフローチャートである。
【図５】注文シートの一例を示すレイアウト図である（実施例２）。
【図６】図３に示したシステムにおける発注処理の動作を説明するフローチャートである（実施例２）。
【符号の説明】
【００７５】
１０１    クライアント端末
２０１    商品情報サーバ
３０１    プリンタ
４０１    スキャナ
４０２    データ読取り部
４０３    宛先変換部
４０４    商品認識部
４０５    発注データ生成部
４０６    発注指示部
４０７    通信部
４０８    記憶部
５０１    ＬＡＮ（ローカル・エリア・ネットワーク）
６０１    公衆回線
【図１】
2005266906.tif 000003
【図２】
2005266906.tif 000004
【図３】
2005266906.tif 000005
【図４】
2005266906.tif 000006
【図５】
2005266906.tif 000007
【図６】
2005266906.tif 000008